(57)【要約】【課題】パッドを打撃するだけで簡単に電源スイッチを投入することができる電子楽器を提供すること。【解決手段】電子楽器１が使用されていない時は、消費電力を無くすために、ＦＥＴスイッチ１３により電池Ｂ１の電力は遮断されている。使用者によりパッドが打撃されピエゾセンサ１１に振動が与えられると、ピエゾセンサ１１からその振動に応じて交流電圧が出力される。出力された電圧は、ダイオードＤ１とコンデンサＣ１とにより整流され、ＲＳフリップフロップ１２に入力される。ＲＳフリップフロップ１２に動作可能な電力が供給されると、ＦＥＴスイッチ１３が投入され、電池Ｂ１の電力が電子楽器１の各ブロックに供給される。【選択図】図１
2008164866.tif 000002
【特許請求の範囲】
【請求項１】
振動を電圧に変換して出力する圧電素子と、
その圧電素子から出力される電圧に基づいて制御信号を出力する出力手段とを備えた電子楽器において、
前記出力手段を作動させるための電源と、
その電源の電力を前記出力手段に供給するか遮断するかを切り替える電源スイッチと、
前記圧電素子から出力される電圧に基づいて、前記出力手段に電力を供給するよう電源スイッチを切り替える制御手段とを備えた電子楽器。
【請求項２】
前記圧電素子から出力される電圧を整流する整流回路を備え、
前記制御手段は、前記整流回路により整流された電圧が所定の電圧レベル以上の場合に、前記出力手段に電力を供給するよう前記電源スイッチを切り替えることを特徴とする請求項１記載の電子楽器。
【請求項３】
前記制御手段は、フリップフロップにより構成され、そのフリップフロップの入力に前記整流回路により整流された電圧が供給され、そのフリップフロップの出力により前記電源スイッチを切り替えることを特徴とする請求項２記載の電子楽器。
【請求項４】
前記電源スイッチは、ＦＥＴスイッチにより構成されることを特徴とする請求項１から３のいずれかに記載の電子楽器。
【請求項５】
前記出力手段より出力される制御信号により制御される中央装置と通信可能な通信手段を備え、
前記制御手段は、前記通信手段を介した前記中央装置からの指令に基づいて前記出力手段に供給される電力を遮断するよう前記電源スイッチを切り替えることを特徴とする請求項１から４のいずれかに記載の電子楽器。
【請求項６】
前記出力手段より制御信号が出力されてから、所定時間経過したか否かを判断する計時判断手段を備え、
前記制御手段は、前記計時判断手段により所定時間経過したと判断された場合に、前記出力手段に供給される電力を遮断するよう前記電源スイッチを切り替えることを特徴とする請求項１から５のいずれかに記載の電子楽器。
【発明の詳細な説明】
【技術分野】
【０００１】
本発明は、電子楽器に関し、特にパッドを打撃するだけで簡単に電源スイッチを投入することができる電子楽器に関するものである。
【背景技術】
【０００２】
従来より、スティック等により打撃されるパッドや電子ハイハットが音源装置と接続されており、パッドや電子ハイハットが打撃されると、その打撃は音源装置を制御する制御信号に変換され、音源装置に接続されたスピーカから制御信号に応じた楽音が放音される電子楽器が知られている。特許文献１には、複数の電子楽器が無線で音源装置に接続されており、それぞれの電子楽器が個々に打撃を検出して音源装置へ制御信号を送信し、音源装置に接続されたスピーカから楽音を放音する技術が記載されている。
【特許文献１】特開平６−５１７６０（第００２２段落、第００２４段落など）
【発明の開示】
【発明が解決しようとする課題】
【０００３】
しかしながら、上述した特許文献１に記載された技術では、それぞれの電子楽器には、個々に動作させるための制御回路と電源とが設けられているが、その電源スイッチの取り付け位置は使用する電子楽器により異なるため、使用者は個々に電源スイッチを探して電源を投入しなければならず大変煩わしいという問題点があった。また、同形状の電子楽器が複数使用されるような場合でも、それぞれの電子楽器の取り付け角度や向きは異なるため、使用者は個々に電源スイッチを探して電源を投入しなければならず大変煩わしいという問題点があった。
【０００４】
また、これらの電子楽器が電池により駆動される場合には、使用されていない時の消費電力を少なくする必要があった。
【０００５】
本発明は、上述した問題点を解決するためになされたものであり、不使用時の電池の消耗を無くすとともに、簡単な操作で電源スイッチを投入することができる電子楽器を提供することを目的とする。
【課題を解決するための手段】
【０００６】
上記目的を達成するために、本発明の請求項１記載の電子楽器は、振動を電圧に変換して出力する圧電素子と、その圧電素子から出力される電圧に基づいて制御信号を出力する出力手段とを備えたものであり、前記出力手段を作動させるための電源と、その電源の電力を前記出力手段に供給するか遮断するかを切り替える電源スイッチと、前記圧電素子から出力される電圧に基づいて、前記出力手段に電力を供給するよう電源スイッチを切り替える制御手段とを備えている。
【０００７】
請求項２記載の電子楽器は、請求項１記載の電子楽器において、前記圧電素子から出力される電圧を整流する整流回路を備え、前記制御手段は、前記整流回路により整流された電圧が所定の電圧レベル以上の場合に、前記出力手段に電力を供給するよう前記電源スイッチを切り替える。
【０００８】
請求項３記載の電子楽器は、請求項２記載の電子楽器において、前記制御手段は、フリップフロップにより構成され、そのフリップフロップの入力に前記整流回路により整流された電圧が供給され、そのフリップフロップの出力により前記電源スイッチを切り替える。
【０００９】
請求項４記載の電子楽器は、請求項１から３のいずれかに記載の電子楽器において、前記電源スイッチは、ＦＥＴスイッチにより構成される。
【００１０】
請求項５記載の電子楽器は、請求項１から４のいずれかに記載の電子楽器において、前記出力手段より出力される制御信号により制御される中央装置と通信可能な通信手段を備え、前記制御手段は、前記通信手段を介した前記中央装置からの指令に基づいて前記出力手段に供給される電力を遮断するよう前記電源スイッチを切り替える。
【００１１】
請求項６記載の電子楽器は、請求項１から５のいずれかに記載の電子楽器において、前記出力手段より制御信号が出力されてから、所定時間経過したか否かを判断する計時判断手段を備え、前記制御手段は、前記計時判断手段により所定時間経過したと判断された場合に、前記出力手段に供給される電力を遮断するよう前記電源スイッチを切り替える。
【発明の効果】
【００１２】
請求項１記載の電子楽器によれば、出力手段は、電源から供給される電力により作動し、電源スイッチにより電力が供給されるか遮断されるかが切り替えられる。使用者によりパッドが打撃されると、その打撃により圧電素子が振動し電圧が出力される。制御手段は、圧電素子から出力された電圧に基づいて、出力手段に電力を供給するよう電源スイッチを切り替えるので、電源により駆動される電子楽器において、使用されていない時の消費電力を無くすことができるとともに、使用者が、パッドを打撃するという簡単な操作により電源スイッチを投入することができる。
【００１３】
請求項２記載の電子楽器によれば、請求項１記載の電子楽器の奏する効果に加え、圧電素子から出力される電圧は、整流回路により整流され、制御手段は、整流回路により整流された電圧が所定の電圧レベル以上の場合に、出力手段に電力を供給するよう電源スイッチを切り替えるので、使用者によるパッドの打撃で電源スイッチを投入することができる。また、その所定の電圧レベルを、他のパッドの演奏などにより生じる小さな振動や、ノイズなどでは電源スイッチが動作しない電圧レベルに設定しておくことで、電源スイッチの誤動作を防止することができる。
【００１４】
請求項３記載の電子楽器によれば、請求項２記載の電子楽器の奏する効果に加え、制御手段は、フリップフロップにより構成されており、入力端子に所定の電圧が掛かると、出力端子から所定の電圧が出力され、出力手段に電力を供給するよう電源スイッチが切り替えられる。よって、整流回路により整流された電圧が所定の電圧レベル以上になった場合に、電源スイッチを投入し、その後は、電源スイッチを保持して出力手段への電力の供給を安定化することができる。
【００１５】
請求項４記載の電子楽器によれば、請求項１から３いずれかに記載の電子楽器の奏する効果に加え、電源スイッチは、ＦＥＴスイッチにより構成されるので、電源遮断時の消費電力をほぼ０にすることができ、電子楽器の消費電力を抑えることができる。
【００１６】
請求項５記載の電子楽器によれば、請求項１から４いずれかに記載の電子楽器の奏する効果に加え、中央装置と通信可能な通信手段を備えており、制御手段は、通信手段を介した中央装置からの指令に基づいて出力手段に供給される電力を遮断するよう電源スイッチを切り替えるので、中央装置を操作することにより電源スイッチを遮断することができる。例えば、中央装置の電源スイッチが遮断される場合に、電源を遮断を指示する指令を送信するようにしておくと、中央装置の電源スイッチを遮断することにより、通信を行う電子楽器の電源も遮断される。よって、使い勝手がよいという効果がある。特に中央装置が、複数の電子楽器と通信を行うように構成した場合は、中央装置の電源スイッチを遮断するだけで、全ての電子楽器の電源を遮断できる。
【００１７】
請求項６記載の電子楽器によれば、請求項１から５いずれかに記載の電子楽器の奏する効果に加え、出力手段より制御信号が出力されてから、所定時間経過したか否かを判断する計時判断手段を備えており、制御手段は、計時判断手段により所定時間経過したと判断された場合に、出力手段に供給される電力を遮断するよう電源スイッチを切り替えるので、出力手段が待機している場合などの電力消費を無くすことができ、電子楽器の消費電力を抑えることができる。
【発明を実施するための最良の形態】
【００１８】
以下、本発明の好ましい実施形態について、添付図面を参照して説明する。図１は、本発明の実施形態における電子楽器１の電気的構成を示したブロック図である。電子楽器１は、ピエゾセンサ１１、ダイオードＤ１、コンデンサＣ１、ダイオードＤ２、ダイオードＤ３、抵抗器Ｒ１、抵抗器Ｒ２、コンデンサＣ２、ＲＳフリップフロップ（ＲＳ−ＦＦ）１２、電池Ｂ１、ＦＥＴスイッチ１３、ＤＣ／ＤＣ変換器１４、圧縮回路１５、ＣＰＵ１６、ＲＯＭ１７、ＲＡＭ１８、無線送受信回路１９、アンテナ２０、トランジスタＴＲ、発光ダイオードＤ４とを主に備えている。
【００１９】
ピエゾセンサ１１は、パッドや電子ハイハットなどの打撃される部位に貼付され、使用者から打撃などにより振動が与えられるとその振動に応じて交流電圧が出力されるセンサである。ピエゾセンサ１１の一端は、接地され、他端の出力は、ダイオードＤ１のアノードと、圧縮回路１５の入力に接続されている。圧縮回路１５は、ピエゾセンサ１１から出力される電圧を、ＣＰＵ１６に入力可能な電圧レベルまで小さくする変換器であり、その電圧は、所定の比率で変換される。圧縮回路１５の出力は、ＣＰＵ１６の入力Ａ／Ｄに接続されている。
【００２０】
ダイオードＤ１のカソードは、コンデンサＣ１の一端とダイオードＤ２のアノードに接続され、コンデンサＣ１の他端は、接地されている。このダイオードＤ１と、コンデンサＣ１とは、ピエゾセンサ１１から出力される交流電圧を整流するための整流回路であり、整流回路により直流の正電圧が出力される。
【００２１】
ダイオードＤ２のカソードは、抵抗器Ｒ１の一端と抵抗器Ｒ２の一端と、ダイオードＤ３のカソードおよびＲＳフリップフロップ１２の電源Ｖｃｃに接続されている。ダイオードＤ２とダイオードＤ３とは、整流回路により整流された電圧と、電子楽器１の電源電圧（以下、単に「電源電圧」と称す）とが、お互いのアノード側に接続される回路に影響を及ぼさないよう遮断するものである。
【００２２】
抵抗器Ｒ１の他端は、ＲＳフリップフロップ１２のリセット入力ＲとトランジスタＴＲのコレクタに接続され、トランジスタＴＲのベースはＣＰＵ１６の第１の出力ＰＯＲＴ（ＰＯＲＴ１）に接続されている。また、トランジスタＴＲのエミッタは、接地されている。トランジスタＴＲは、電子楽器１の動作を停止させるために、ＲＳフリップフロップ１２のリセット入力Ｒに入力される電圧を変化させるスイッチとして用いられる。
【００２３】
抵抗器Ｒ２の他端は、コンデンサＣ２の一端とＲＳフリップフロップ１２のセット入力Ｓに接続され、コンデンサＣ２の他端は、接地されている。この抵抗器Ｒ２と、コンデンサＣ２とは、整流回路から出力される電圧を所定の時間遅延させて、ＲＳフリップフロップ１２のセット入力Ｓへ入力するための遅延回路である。ＲＳフリップフロップ１２は、セット入力Ｓとリセット入力Ｒとに入力される入力電圧に従って出力Ｑの出力電圧が決定される既知の回路である。
【００２４】
ＲＳフリップフロップ１２の出力Ｑは、ＦＥＴスイッチ１３の制御端子に接続されている。電池Ｂ１のマイナス端子は、接地され、プラス端子は、ＦＥＴスイッチ１３の入力端子に接続されている。ＦＥＴスイッチ１３は、電池Ｂ１の電力を電子楽器１に供給するか否かを切り替える電源スイッチである。電源スイッチは、ＦＥＴにより構成されるので、電源遮断時の消費電力をほぼ０にすることができ、電池を長持ちさせることができる。ＦＥＴスイッチ１３について、具体的な構成は公知であるので、その説明は省略する。
【００２５】
ＦＥＴスイッチ１３の出力端子は、ＤＣ／ＤＣ変換器１４の入力に接続されている。ＤＣ／ＤＣ変換器１４は、電池Ｂ１から入力される直流電圧を電子楽器１の所定の電源電圧に変換して出力する電圧変換器である。例えば、アルカリ乾電池２個を直列とした場合は、電池の合成電圧は３Ｖとなり、また電池としてニッケル水素電池を用いれば２．４Ｖであるが、それらの電圧は、ＤＣ／ＤＣ変換器１４に入力されるとＣＰＵ１６等の動作に必要な３．３Ｖの一定電圧に変換されて出力される。
【００２６】
ＤＣ／ＤＣ変換器１４の出力は、ダイオードＤ３のアノードと、圧縮回路１５とＣＰＵ１６と無線送受信回路１９とＲＳフリップフロップ１２の電源Ｖｃｃなど、各ブロックの電源Ｖｃｃに接続されている。
【００２７】
ＣＰＵ１６は、ＲＯＭ１７とＲＡＭ１８と専用のバスラインにより接続されている。また、ＣＰＵ１６の端子ＳＩＦは、無線送受信回路１９と接続され、シリアル通信により送受信を行うことができる。また、ＣＰＵ１６の第２の出力ＰＯＲＴ（ＰＯＲＴ２）は、発光ダイオードＤ４のアノードに接続され、発光ダイオードＤ４のカソードは接地されている。この発光ダイオードＤ４は、電子楽器１が動作中に点灯されるもので、操作者は、発光ダイオードＤ４の点灯や消灯より電子楽器１の動作状態を視認することができる。無線送受信回路１９は、アンテナ２０を備え、音源装置２（図２参照）と無線通信することができる。
【００２８】
ＣＰＵ１６は、ＲＯＭ１７やＲＡＭ１８に記憶される固定値やプログラム或いは、無線送受信回路１９を介して送受信される各種制御信号に従って、電子楽器１の各部を制御するものである。ＣＰＵ１６には、タイマ１６ａが内蔵され、パッドに打撃が行われない時間を計測し、その時間が所定時間より長い場合は、ＦＥＴスイッチ１３を遮断し、電池の消耗を防止する。
【００２９】
ＲＯＭ１７は、ＣＰＵ１６により実行される各種の制御プログラムやその実行の際に参照される固定値データが記憶された書き替え不能なメモリである。ＲＡＭ１８は、ＣＰＵ１６がＲＯＭ１７などに記憶される制御プログラムの実行に当たって、各種のデータなどを一時的に記憶するための書き替え可能なメモリである。無線送受信回路１９とアンテナ２０とは、無線通信により音源装置２（図２参照）と接続して、音源制御信号や各種制御信号の送受信を行うための既知の回路である。
【００３０】
次に、図２を参照して音源装置２について説明する。音源装置２は、電子楽器１と無線通信により接続されて使用される装置であり、電子楽器１から送信された音源制御信号に基づいて制御されスピーカ３９から楽音を放音するものである。図２は、音源装置２の電気的構成を示したブロック図である。音源装置２は、無線送受信回路３２、ＣＰＵ３３、ＲＯＭ３４、ＲＡＭ３５、音源回路３６、Ｄ／Ａ変換器（Ｄ／Ａ）３７、パワーアンプ３８、スピーカ３９とを主に備えている。
【００３１】
無線送受信回路３２は、アンテナ３１を備え、電子楽器１と無線通信を行う。無線送受信回路３２は、ＣＰＵ３３の端子ＳＩＦと接続され、シリアル通信により送受信を行うことができる。無線送受信回路３２は、無線通信により電子楽器１と接続して、音源制御信号や各種制御信号の送受信を行うための既知の回路である。
【００３２】
ＣＰＵ３３は、ＲＯＭ３４とＲＡＭ３５と音源回路３６と専用のバスラインにより相互に接続されている。また、音源回路３６の出力は、Ｄ／Ａ変換器３７に接続され、Ｄ／Ａ変換器３７の出力は、パワーアンプ３８に接続され、パワーアンプ３８の出力は、スピーカ３９に接続されている。ＣＰＵ３３は、ＲＯＭ３４やＲＡＭ３５に記憶される固定値やプログラム或いは、無線送受信回路３２を介して送受信される音源制御信号や各種制御信号に従って、音源装置２の各部を制御するものである。ＲＯＭ３４は、ＣＰＵ３３により実行される各種の制御プログラムやその実行の際に参照される固定値データが記憶された書き替え不能なメモリである。ＲＡＭ３５は、ＣＰＵ３３がＲＯＭ３４などに記憶される制御プログラムの実行に当たって、各種のデータなどを一時的に記憶するための書き替え可能なメモリである。
【００３３】
音源回路３６は、ＬＳＩにより形成される楽音を発生する専用回路であり、ＣＰＵ３３から楽音の発生の開始を指示する信号を入力した場合は、指示に対応する楽音のデジタル信号の発生を開始し、楽音の発生の停止を指示する信号を入力した場合は発生している楽音を停止する。打楽器音を発生する場合は、ノートナンバに対応する音色の楽音を発生する。
【００３４】
Ｄ／Ａ変換器３７は、音源回路３６により出力された楽音のデジタル信号をアナログ信号に変換するもので、変換されたアナログ信号は、パワーアンプ３８により増幅され、スピーカ３９により放音される。
【００３５】
次に、電子楽器１と音源装置２との動作について説明する。電子楽器１には、使用者が直接操作可能な電源スイッチが設けられていない。使用者は、パッドを打撃するという簡単な操作により、電源スイッチを投入することができる。音源装置２が作動しており、電子楽器１が作動していない時に、使用者によりパッドが打撃された場合の電子楽器１と音源装置２の動作について説明する。
【００３６】
使用者によりパッドが打撃されピエゾセンサ１１に振動が与えられると、ピエゾセンサ１１からその振動に応じて交流電圧が出力される。出力された電圧は、整流回路であるダイオードＤ１とコンデンサＣ１とにより整流され、直流電圧が出力される。また、圧縮回路１５にもピエゾセンサ１１から出力された電圧が入力されるが、電力が供給されていないため動作しない。整流された電圧は、ダイオードＤ２を通過し、ＲＳフリップフロップ１２の電源Ｖｃｃに入力され、ダイオードＤ３により、ダイオードＤ３のアノード側に接続される電子楽器１の各ブロックの電源に影響を及ぼさないよう遮断される。
【００３７】
同時にその電圧は、抵抗器Ｒ１を通過し、ＲＳフリップフロップ１２のリセット入力Ｒに入力される。また、抵抗器Ｒ２とコンデンサＣ２により所定の遅延時間だけ遅延され、ＲＳフリップフロップ１２のセット入力Ｓにも入力される。
【００３８】
ＲＳフリップフロップ１２は、作動可能な電力が供給された場合に、作動を開始する。つまり、ピエゾセンサ１１から電圧が出力されて整流回路により整流され、整流回路からＲＳフリップフロップ１２が作動可能な電力が供給されなければ動作しない。ＲＳフリップフロップ１２が作動しない場合は、出力Ｑから電圧は出力されない。
【００３９】
ここで、表１を参照してＲＳフリップフロップ１２の動作について説明する。
【００４０】
【表１】
2008164866.tif 000003
この表において、その動作を簡単に説明するために、所定の電圧値を“１”と表記し、その所定の電圧値より低い電圧値を“０”と表記する。ＲＳフリップフロップ１２は、セット入力Ｓとリセット入力Ｒとの入力の状態によって、出力Ｑの状態が決定される既知の回路である。ここでは、各入力の状態と、それに対応する出力Ｑの状態の変化についてのみ説明する。
【００４１】
セット入力Ｓに“０”が入力され、リセット入力Ｒに“１”が入力されると、出力Ｑの状態は、“１”に変化する。セット入力Ｓに“１”が入力され、リセット入力Ｒに“０”が入力されると、出力Ｑの状態は、“０”に変化する。セット入力Ｓに“１”が入力され、リセット入力Ｒに“１”が入力されると、出力Ｑの状態は、そのまま維持される。なお、セット入力Ｓとリセット入力Ｒとに“０”が入力されることがないように回路が設計される。
【００４２】
ＲＳフリップフロップ１２が作動を開始し、整流回路により整流された電圧がセット入力Ｓとリセット入力Ｒとに入力される。まず、リセット入力Ｒに“１”が入力され、セット入力Ｓには遅延回路から出力される“０”が入力される。すると、出力Ｑから“１”が出力され、そして、遅延回路による所定の遅延時間が経過すると、セット入力Ｓに“１”が入力され、それ以降は、出力Ｑは出力“１”の状態が維持される。
【００４３】
他のパッドの演奏などにより生じる小さな振動や、ノイズなどにより生じた電力では、ＲＳフリップフロップ１２が動作しないよう入力の電圧レベルを設定しておくことで、出力Ｑからは電圧が出力されないため、ＦＥＴスイッチ１３の誤動作を防止することができ、使用者によるパッドの打撃で電源スイッチを投入することができる。
【００４４】
出力Ｑから“１”が出力され、ＦＥＴスイッチ１３の制御端子に入力されると、ＦＥＴスイッチ１３の入力端子と出力端子とが導通し、電池Ｂ１の電力がＤＣ／ＤＣ変換器１４へ供給される。ＤＣ／ＤＣ変換器１４は、電池Ｂ１の電力で作動開始し、電池Ｂ１の電圧を電子楽器１の電源電圧に変換し、ＲＳフリップフロップ１２、圧縮回路１５、ＣＰＵ１６、無線送受信回路１９などの電子楽器１の各種ブロックの電源Ｖｃｃへ電力を供給する。
【００４５】
ＤＣ／ＤＣ変換器１４から出力される電源電圧は、ダイオードＤ３を通過し、ＲＳフリップフロップ１２の電源Ｖｃｃや各ブロックの電源ＶｃｃやＲＯＭ１７やＲＡＭ１８などに供給され、ダイオードＤ２により、整流回路に影響を及ぼさないよう遮断される。これ以降は、電子楽器１が停止するまで、ＤＣ／ＤＣ変換器１４から供給される電源電圧によりＲＳフリップフロップ１２が動作する。セット入力Ｓとリセット入力Ｒとに“１”が入力されている現状態は、電源電圧が供給されても、その状態は変化しないため、出力Ｑからの出力も“１”の状態がそのまま維持される。
【００４６】
よって、整流回路により整流された電圧が所定の電圧レベル以上になった場合に、電源スイッチが投入され、その後は、電源スイッチの投入状態が保持されるので、電子楽器１の各ブロックへの電力の供給を安定化することができる。
【００４７】
次に、ＦＥＴスイッチ１３が投入され、電子楽器１において行われる初期設定について説明する。ＦＥＴスイッチ１３が投入されて電子楽器１の各ブロックに電力が供給されると、まず、ＣＰＵ１６により電子楽器１の各ブロックの初期化が行われる。そして、ＣＰＵ１６により、第２の出力ＰＯＲＴの出力がハイに設定されると、発光ダイオードＤ４に電力が供給され点灯されるので、使用者は電子楽器１の動作状態を視認することができる。
【００４８】
無線送受信回路１９と、アンテナ２０とを介して無線通信により音源装置２と通信を開始し、電子楽器１は、音源装置２に対して、電子楽器１が起動したことを通知する。音源装置２は、電子楽器１に対して、音源制御信号を作成する際に必要な各種パラメータを送信する。電子楽器１は、受信した各種パラメータをＲＡＭ１８に記憶する。
【００４９】
次に、初期設定を終了した後の通常動作について説明する。演奏者により、パッドなどが打撃され、ピエゾセンサ１１から出力された電圧は圧縮回路１５に入力され、ＣＰＵ１６に入力可能な電圧レベルまで小さく変換される。その電圧は、所定の比率で変換されて、ＣＰＵ１６の入力Ａ／Ｄに入力される。ＣＰＵ１６に入力された電圧は、デジタル信号に変換され、ＲＡＭ１８に記憶された各種パラメータに基づいて、音源装置２を制御する音源制御信号に変換される。変換された音源制御信号は、無線通信により音源装置２へ送信される。音源制御信号は、電子楽器１が音源装置２を制御して、所定の楽音をスピーカ３９から放音させるための制御信号であり、ＭＩＤＩ信号などが用いられる。
【００５０】
音源装置２では、電子楽器１より送信された音源制御信号を受信すると、ＣＰＵ３３により解析が行われ、音源制御信号に応じた楽音を発生するように音源回路３６に制御データを出力する。音源回路３６は、ＣＰＵ３３から制御データが入力されると、制御データの指示に対応する楽音のデジタル信号をＤ／Ａ変換器３７に出力する。Ｄ／Ａ変換器３７は、楽音のデジタル信号をアナログ信号に変換し、変換されたアナログ信号は、パワーアンプ３８により増幅され、スピーカ３９により楽音が放音される。
【００５１】
このように電子楽器１では、使用者によるパッドの打撃によりピエゾセンサ１１から出力される電圧に応じた処理が行われて音源装置２に音源制御信号が送信され、音源装置２では、電子楽器１のピエゾセンサ１１の振動に応じた楽音が放音される。
【００５２】
所定の時間、使用者によるパッドの打撃が行われずピエゾセンサ１１に振動が与えられない場合や、音源装置２から電源を遮断するよう指令が通知されると、電子楽器１は、音源装置２に対して、動作を停止することを通知する。そしてＣＰＵ１６の第１の出力ＰＯＲＴの出力をハイに設定することによりトランジスタＴＲをオンに設定し、ＲＳフリップフロップ１２のリセット入力Ｒを接地する。リセット入力Ｒに“０”が入力されると、出力Ｑは、“０”に設定され、ＦＥＴスイッチ１３は、遮断され、電子楽器１に供給されている電池の電力が遮断される。
【００５３】
次に、図３を参照して電子楽器１のＣＰＵ１６により実行される処理について説明する。図３は、電子楽器１のメイン処理を示すフローチャートである。使用者によりパッドが打撃され、ピエゾセンサ１１に振動が与えられると、ＦＥＴスイッチ１３が投入され、電子楽器１の各ブロックに電源電圧が供給される。
【００５４】
ＣＰＵ１６が作動開始すると、まず初期化処理を行う（Ｓ１）。初期化処理としては、ＣＰＵ１６やＲＡＭ１８の初期化や、各機能の初期化、無線送受信回路１９の初期化などの処理が行われる。そして、音源装置２に対して、電子楽器１が起動したことを通知する（Ｓ２）。その通知によって音源装置２から送信される音源制御信号を作成する際に必要な各種パラメータをＲＡＭ１８に記憶する（Ｓ３）。そして、タイマ１６ａをリセットしてカウントを開始させる（Ｓ４）。
【００５５】
タイマ１６ａが計時する時間が所定の時間を経過していないか判定し（Ｓ５）、所定の時間を経過していなければ（Ｓ５：Ｙｅｓ）、ピエゾセンサ１１から出力されて、圧縮回路１５により変換された電圧値をデジタル値に変換する（Ｓ６）。次に、変換されたデジタル値に基づいて、使用者から打撃などによりピエゾセンサ１１に振動が与えられたか判定する（Ｓ７）。このＳ７の処理では、他のパッドの演奏などにより生じる小さな振動や、パッド打撃後に生じる小さな振動や、ノイズなどにより生じた所定レベル以下のデジタル値は、使用者より与えられた振動では無いと判定するように設定しておくことで、使用者の意図する演奏音のみを発音することができる。
【００５６】
Ｓ７の処理において、ピエゾセンサ１１に振動が与えられていれば（Ｓ７：Ｙｅｓ）、タイマ１６ａのカウントをリセットし（Ｓ８）、変換されたデジタル値を、ＲＡＭ１８に記憶された各種パラメータに基づいて音源制御信号に変換する（Ｓ９）。そして、変換された音源制御信号を音源装置２に対して送信する（Ｓ１０）。一方、Ｓ７の処理において、ピエゾセンサ１１に振動が与えられていない場合は（Ｓ７：Ｎｏ）、Ｓ１１の処理に移る。
【００５７】
次に、音源装置２から電子楽器１の電源を遮断するよう指令が通知されたか否かを判定し（Ｓ１１）、電子楽器１の電源を遮断するよう指令が通知されている場合（Ｓ１１：Ｙｅｓ）、またはＳ５の処理において、タイマ１６ａが所定の時間経過している場合（Ｓ５：Ｎｏ）は、音源装置２に動作を停止することを通知する（Ｓ１２）。そして、トランジスタＴＲを制御して、電子楽器１に供給されている電池の電力を遮断する（Ｓ１３）。Ｓ１１の処理において、電子楽器１の電源を遮断するよう指令が通知されていない場合は（Ｓ１１：Ｎｏ）、Ｓ５の処理に戻る。
【００５８】
以上、実施形態に基づいて説明したように、電池Ｂ１により電力が供給される電子楽器１において、使用されない状態では、電源スイッチであるＦＥＴスイッチ１３により遮断し、パッドが打撃された場合は、ピエゾセンサ１１に発生する起電力によりＦＥＴスイッチ１３を投入するようにしたので、電子楽器１を使用していない場合に電池の電力の消費を無くすとともに、簡単な操作により、電源スイッチを投入することができる。
【００５９】
また、所定の時間、使用者によりパッドが打撃されない場合など、電子楽器１が待機している場合に、電子楽器１の電源を遮断することにより、待機している場合の消費電力を無くすことができ、電池Ｂ１を長持ちさせることができる。
【００６０】
また、音源装置２の電源スイッチが遮断される場合に、電子楽器１に電源を遮断する指令を送信するようにしておくと、音源装置２の電源スイッチを遮断することにより、電子楽器１の電源も遮断される。よって、使い勝手がよいという効果がある。特に音源装置２が、複数の電子楽器と通信を行うように構成した場合は、音源装置２の電源スイッチを遮断するだけで、全ての電子楽器の電源を遮断することができる。
【００６１】
なお、請求項に記載の出力手段は、図３に示すフローチャートのＳ６、Ｓ９の処理が該当し、計時判断手段は、図３に示すフローチャートのＳ５の処理が該当する。
【００６２】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００６３】
例えば、上記実施形態では、電子楽器１と音源装置２とは、それぞれ独立した装置であり無線通信により接続されているが、電子楽器１と音源装置２とが一体であってもよい。
【００６４】
また、上記実施形態では、電子楽器１と音源装置２とが、無線通信により接続されているが、電子楽器と音源装置２とを有線により接続して通信を行ってもよい。
【００６５】
また、上記実施形態では、一の電子楽器１と音源装置２とが、無線通信により接続されているが、複数の電子楽器と音源装置２とを無線通信や有線通信により接続して使用してもよい。
【００６６】
また、上記実施形態では、圧電素子は、電子打楽器の打撃を検出するものとしたが、ギターやベースなどの弦楽器における弦の振動を圧電素子により検出する電子楽器において、本発明を適用してもよい。
【００６７】
また、上記実施形態では、電子楽器の電源として電池を用いており、不使用時の電池の消耗を抑える発明について説明したが、本発明は電池に限定されるものではなく、電源の種別に関係なく不使用時の電力を抑えることが可能である。よって、電子楽器の電源は、ＡＣ電源やＤＣ電源など電子楽器に電力を供給可能な電源であればどのような電源でもよい。
【００６８】
また、上記実施形態では、電子楽器において、使用者が操作可能な電源スイッチが設けられていないが、楽器の移設時や保管時のような場合に、操作者の操作により完全に電源を遮断できる電源スイッチを設けてもよい。
【００６９】
また、上記実施形態では、中央装置として音源装置２を使用しており、ピエゾセンサ１１の打撃により音源装置２を制御して楽音を発生させているが、中央装置として映像装置を使用し、ピエゾセンサ１１の打撃により映像装置を制御して映像を表示しても良い。
【図面の簡単な説明】
【００７０】
【図１】本発明における実施形態の電子楽器の電気的構成を示すブロック図である。
【図２】音源装置の電気的構成を示すブロック図である。
【図３】電子楽器のメイン処理を示すフローチャートである。
【符号の説明】
【００７１】
１            電子楽器
２            音源装置（中央装置）
１１          ピエゾセンサ（圧電素子）
１２          ＲＳフリップフロップ（制御手段、フリップフロップ）
１３          ＦＥＴスイッチ（電源スイッチ）
１６          ＣＰＵ
１９          無線送受信回路（通信手段の一部）
２０          アンテナ（通信手段の一部）
Ｂ１          電池（電源）
Ｄ１          ダイオード（整流回路の一部）
Ｃ１          コンデンサ（整流回路の一部）
【図１】
2008164866.tif 000004
【図２】
2008164866.tif 000005
【図３】
2008164866.tif 000006